(57)【要約】【課題】本発明は釣り用餌の取付装置に関し、釣針に確実に餌が取り付き、而も、安定した量の餌を釣針に取り付けることができる釣り用餌の取付装置を提供することを目的とする。【解決手段】請求項１に係る発明は、練り餌容器の餌放出孔に釣針誘導線条の自由端側を近接し、当該釣針誘導線条に引っ掛けた釣針を上記餌放出孔に誘導して、釣針に練り餌を取り付ける釣り用餌の取付装置に於て、上記釣針誘導線条を、その自由端側が餌放出孔の上を横切るように移動可能としたことを特徴とする。そして、請求項２に係る発明は、請求項１記載の釣り用餌の取付装置に於て、釣針誘導線条の自由端側に、餌放出孔から押し出された練り餌を削ぎ取る刃状部を設けたことを特徴とする。【選択図】      図５
2004222666.tif 000002
【特許請求の範囲】
【請求項１】
練り餌容器の餌放出孔に釣針誘導線条の自由端側を近接し、当該釣針誘導線条に引っ掛けた釣針を上記餌放出孔に誘導して、釣針に練り餌を取り付ける釣り用餌の取付装置に於て、
上記釣針誘導線条を、その自由端側が餌放出孔の上を横切るように移動可能としたことを特徴とする釣り用餌の取付装置。
【請求項２】
釣針誘導線条の自由端側に、餌放出孔から押し出された練り餌を削ぎ取る刃状部を設けたことを特徴とする請求項１記載の釣り用餌の取付装置。
【発明の詳細な説明】
【０００１】
【発明の属する技術分野】
本発明は、釣り用の練り餌を容器から押し出して釣針に取り付ける釣り用餌の取付装置に関する。
【０００２】
【従来の技術】
従来、練り餌容器のノズルに設けた餌放出孔に釣針誘導線条の自由端側を近接して、釣針誘導線条に引っ掛けた釣針を餌放出孔の近くに誘導し、餌放出孔から押し出されて盛り上がった練り餌に釣針を引っ掛けて（通過させて）、練り餌に手を触れることなく釣針に練り餌を取り付け可能とした釣り用餌の取付装置が知られている（例えば、下記の特許文献１，２参照。）。
【０００３】
そして、特許文献１の取付装置は、釣針誘導線条に沿って釣針を餌放出孔に誘導する際に、針先が餌放出孔の中心上方部に誘導されるように構成され、釣針が餌放出孔の上に盛り上がった練り餌を通過して釣針に練り餌が付着するようになっている。
【特許文献１】
実公平８−１６６８号公報（第２頁−第３頁、第１図）
【特許文献２】
実公平４−１３９７６号公報（第１頁−第３頁、第１図）
【０００４】
【発明が解決しようとする課題】
しかし乍ら、釣針の大きさや形は様々であり、また、餌放出孔から押し出されて盛り上がった練り餌を釣針の湾曲した部分で削ぎ取って釣針に取り付けるには、釣針を引く角度や力を加減しなければならなかった。
【０００５】
而も、餌放出孔の上に盛り上がった練り餌はある程度の粘り気があってノズル内の練り餌と繋がった状態にあるため、釣針が練り餌を通過しても僅かに釣針に付着する程度で、大部分がノズルの先端（餌放出孔の位置）に残ってしまい、釣針に取り付く餌の量が安定しないのが実情であった。
本発明は斯かる実情に鑑み案出されたもので、既述したこの種の取付装置に改良を加え、釣針に確実に餌が取り付き、而も、安定した量の餌を釣針に取り付けることができる釣り用餌の取付装置を提供することを目的とする。
【０００６】
【課題を解決するための手段】
斯かる目的を達成するため、請求項１に係る発明は、練り餌容器の餌放出孔に釣針誘導線条の自由端側を近接し、当該釣針誘導線条に引っ掛けた釣針を上記餌放出孔に誘導して、釣針に練り餌を取り付ける釣り用餌の取付装置に於て、上記釣針誘導線条を、その自由端側が餌放出孔の上を横切るように移動可能としたことを特徴とする。
【０００７】
そして、請求項２に係る発明は、請求項１記載の釣り用餌の取付装置に於て、釣針誘導線条の自由端側に、餌放出孔から押し出された練り餌を削ぎ取る刃状部を設けたことを特徴とする。
【０００８】
（作用）
請求項１に係る発明によれば、釣針誘導線条に沿って釣針をその自由端側に誘導するに従い、釣針誘導線条の自由端側が餌放出孔の上を横切るように移動して、餌放出孔の上に盛り上がった練り餌を球状に削ぎ取り、この後、餌放出孔まで誘導されて釣針誘導線条から外れようとする釣針に、削ぎ取られた球状の練り餌が付着する。
【０００９】
そして、請求項２に係る発明によれば、釣針誘導線条の自由端側に設けた刃状部が、餌放出孔の上に盛り上がった練り餌を確実に削ぎ取ることとなる。
【００１０】
【発明の実施の形態】
以下、本発明の実施形態を図面に基づいて詳細に説明する。
【００１１】
図１乃至図７は請求項１及び請求項２の第一実施形態に係る釣り用餌の取付装置を示し、図１に於て、１は直方体形状に成形された樹脂製のケーシングで、図２に示すようにその一側面１ａに容器取付孔３、そして、上面１ｂにノズル挿通孔５と後述する釣針誘導線条７の支持部材９を固着する取付孔１１が夫々設けられており、容器取付孔３を挿通してケーシング１内に練り餌容器１３が着脱自在に取り付けられている。
【００１２】
図２中、１５は練り餌容器１３の容器本体で、容器本体１５は有底筒状に成形され、内部に収容した練り餌が視認できるように樹脂で透明に成形されている。
そして、容器本体１５は、前記容器取付孔３とケーシング１の底部１ｃの内側に突設した支持片１７とでケーシング１内に支持されており、容器本体１５の開口部１８側は容器取付孔３からケーシング１の外部に突出し、斯様に外部に突出する容器本体１５の開口部１８に蓋体１９が螺合，冠着している。
【００１３】
而して、蓋体１９の中心にはねじ杆２３が挿通して鍔部２５で抜け止めされており、蓋体１９から外部に突出するねじ杆２３にツマミ２１が固着されている。
一方、容器本体１５内のねじ杆２３にはピストン（餌押出板）２７が螺合しており、ピストン２７はツマミ２１の一方向への回転操作で前方（図２中、矢印Ａ方向）に送り出されるようになっている。
【００１４】
また、容器本体１５の底部側周壁には、既述したノズル挿通孔５と一致させて餌押出孔２９が筒状に突設され、当該餌押出孔２９に、ノズル挿通孔５を挿通してケーシング１の上面１ｂに突出する金属製のノズル３１が嵌合している。
ノズル３１は筒状に成形され、その中心に上記餌押出孔２９と連通する餌放出孔３３が設けられており、餌放出孔３３はノズル３１の上面部３１ａ中央に開口している。
【００１５】
図２に示すようにノズル３１の上面部３１ａは、ピストン２７の矢印Ａ方向への送出し方向に沿って下方へ傾斜する傾斜面形状とされている。そして、ツマミ２１の回転操作でピストン２７が矢印Ａ方向に送り出されると、図５に示すように容器本体１５内に収容された練り餌３５が餌押出孔２９，餌放出孔３３から外部に押し出されて、餌放出孔３３上に丸く盛り上がるようになっている。
【００１６】
そして、上記餌放出孔３３に自由端側を近接させて、釣針誘導線条７がケーシング１の上面部３１ａに取り付けられている。
釣針誘導線条７は金属線や樹脂製ピン等の剛性を有する線材で成形されており、図１の如くその一端側は既述した支持部材９に固着されている。また、図２及び図３に示すように釣針誘導線条７の他端側は自由端とされて、餌放出孔３３より上方の傾斜する上面部３１ａに当接して餌放出孔３３に近接，配置されている。
【００１７】
そして、従来の釣針誘導線条と同様、釣針誘導線条７はこれに引っ掛けた釣針を餌放出孔３３に誘導する機能を奏するが、以下に記述するように本実施形態は、釣針誘導線条７の自由端側が餌放出孔３３の上を横切るように移動可能としたことを特徴とする。
即ち、図２乃至図４に示すようにケーシング１の上面１ｂの裏側には、釣針誘導線条７と支持部材９とに変位させてマグネット３７が取り付けられており、斯様にマグネット３７を取り付けると、図３の如く釣糸３９を矢印Ｂ方向（ツマミ２１の取付位置と反対方向と）へ引っ張って釣針４１を釣針誘導線条７に引っ掛ける時に、釣針４１がマグネット３７で上面部３１ａ上に磁気吸着されて針掛けが容易となる。
【００１８】
そして、斯様に釣針誘導線条７に引っ掛けた釣針４１を釣糸３９で引っ張って矢印Ｃ方向に移動させると、釣針誘導線条７の自由端側に負荷がかかって、図４乃至図６に示すように自由端側が餌放出孔３３の上を横切るように撓み、自由端側が、傾斜するノズル３１の上面部３１ａに沿って上方から下方へ移動するようになっている。
【００１９】
而して、図３乃至図６に示すように釣針誘導線条７の自由端側には、練り餌容器１３から押し出されて餌放出孔３３上に丸く盛り上がった練り餌３５を削ぎ取る扁平なヘラ状部（刃状部）４３が、ノズル３１の上面部３１ａに対しこれと向き合う面が所定の角度（図５中、角度α）を以って設けられており、既述したように釣針誘導線条７の自由端側が餌放出孔３３の上を横切るように撓んでノズル３１の上面部３１ａに沿って上方から下方へ移動する際に、上記ヘラ状部４３が餌放出孔３３上に丸く盛り上がった練り餌３５を削ぎ取るようになっている。そして、この後、図４及び図７に示すように餌放出孔３３まで誘導されて釣針誘導線条７の自由端側から外れようとする釣針４１に、ヘラ状部４３で削ぎ取られた球状の練り餌３５が付着する。
【００２０】
尚、釣針誘導線条７は支持部材９からノズル３１の餌放出孔３３の位置よりも長く延ばして形成され、餌放出孔３３から出た練り餌３５を確実に削ぎ取る。
本実施形態に係る取付装置４５はこのように構成されているから、釣針４１に練り餌３５を取り付けるには、先ず、練り餌容器１３の蓋体１９を取り外して容器本体１５内に練り餌３５を充填，収容し、蓋体１９を容器本体１５の開口部１８に螺合，冠着する。
【００２１】
そして、ツマミ２１を回転操作してピストン２７を図２の如く餌放出孔３３を形成した前方の矢印Ａ方向へ送り出せば、図５に示すように練り餌容器１３内に収容された練り餌３５が、餌押出孔２９，餌放出孔３３から外部に押し出されて餌放出孔３３上に丸く盛り上がる。
次いで、図３に示すようにケーシング１の上面１ｂに釣針４１をマグネット３７で磁気吸着させ、釣糸３９を矢印Ｂ方向に引っ張って釣針４１を釣針誘導線条７に引っ掛けた後、釣糸３９を引っ張って、釣針４１を釣針誘導線条７に沿って餌放出孔３３に向かう自由端側方向である矢印Ｃ方向に移動させればよい。
【００２２】
而して、釣針誘導線条７のヘラ状部４３は、負荷のない状態ではノズル３１の上面３１ａに接触しているかまたは近接されているが、斯様に釣針４１を矢印Ｃ方向に移動させるに従い、図４乃至図６に示すように釣針誘導線条７の自由端側に負荷がかかって撓み、ヘラ状部４３が餌放出孔３３の上をノズル３１の上面部３１ａに接触し乍ら横切るようにその上方から下方に移動して、餌放出孔３３上に丸く盛り上がった練り餌３５を球状に削ぎ取り、この後、図４及び図７に示すように餌放出孔３３まで誘導されて釣針誘導線条７から外れようとする釣針４１に、釣針誘導線条７の自由端側であるヘラ状部４３で削ぎ取られた球状の練り餌３５が付着する。
【００２３】
尚、釣針誘導線条７の自由端側（ヘラ状部４３側）は練り餌３５を削ぎ取るとき、ノズル３１の上面部３１ａと接触した部分が餌放出孔３３の一端から他端まで移動できるため、練り餌３５を確実に削ぎ取ることができる。
そして、釣針４１が釣針誘導線条７から外れると、撓んでいた釣針誘導線条７は、図３に示す形状に復帰して元の位置に戻ることとなる。
【００２４】
このように本実施形態は、釣針誘導線条７による餌放出孔３３への釣針４１の誘導時に、釣針誘導線条７の自由端側に設けたヘラ状部４３で餌放出孔３３上に盛り上がった練り餌３５を球状に削ぎ取り、この後、餌放出孔３３まで誘導されて釣針誘導線条７から外れようとする釣針４１に削ぎ取った練り餌３５を付着させるように構成したので、従来の取付装置に比し練り餌３５が釣針４１に確実に取り付くと共に、取り付く練り餌３５の量が安定することとなった。
【００２５】
而も、既述したように本実施形態は、釣針誘導線条７の自由端側にノズル３１の上面部３１ａに対し所定の角度を以ってヘラ状部４３を形成したので、餌放出孔３３上に盛り上がった練り餌３５を確実に削ぎ取ることができるため、練り餌３５を釣針４１に確実に取り付けることが可能である。
尚、ヘラ状部４３のノズル３１の上面部３１ａに対する角度は、上面部３１ａと同じでこれに沿っているか、または、練り餌３５を削ぎ取る時の前方側が突き立てられた状態の上面部３１ａに対し鋭角に形成される角度とする。
【００２６】
図８は請求項１及び請求項２に係る取付装置の第二実施形態を示し、以下、本実施形態を図面に基づいて説明するが、既述した第一実施形態と同一のものは同一符号を付してそれらの説明は省略する
図中、７−１はケーシング１の上面１ｂに固着された支持部材９−１の外周に一端側が回転可能に取り付く釣針誘導線条で、当該釣針誘導線条７−１は前記釣針誘導線条７と異なり硬質の金属線材で成形され、その他端側は自由端とされて前記ヘラ状部４３と同一形状のヘラ状部４３−１が成形されている。
【００２７】
また、釣針誘導線条７−１を挟んでマグネット３７側にストッパ４７、反対側に支持部材４９を介して板バネ５１が支持部材９−１の近傍に装着されており、釣針誘導線条７−１は板バネ５１のバネ力でストッパ４７に常時付勢されて、ヘラ状部４３−１が、ノズル３１の上面部３１ａに開口する餌放出孔３３より上方に当接して、当該餌放出孔３３に近接，配置されている。
【００２８】
そして、第一実施形態と同様の手順で釣針誘導線条７−１に引っ掛けた釣針４１を釣糸３９で引っ張り乍ら、ヘラ状部４３−１方向へ移動させて釣針誘導線条７−１に負荷をかけると、二点鎖線で示すように硬質な釣針誘導線条７−１全体が、板バネ５１のバネ力に抗して支持部材９−１を回転中心に回転移動して、ヘラ状部４３−１がノズル３１の上面部３１ａに沿って餌放出孔３３の上を上方から下方へ横切り乍ら、餌放出孔３３上に盛り上がった練り餌３５を削ぎ取るようになっている。そして、釣針誘導線条７−１に沿って餌放出孔３３まで誘導された釣針４１が釣針誘導線条７−１から外れようとするとき、ヘラ状部４３−１で削ぎ取られた球状の練り餌３５が釣針に付着する。
【００２９】
そして、釣針４１が外れて負荷がなくなった釣針誘導線条７−１は、板バネ５１の復元力で実線で示す位置に戻り、ストッパ４９で保持されるようになっている。
尚、本実施形態に於ても、練り餌３５を良好に削ぎ取ることができるようにヘラ状部４３−１は、前記ヘラ状部４３と同様、ノズル３１の上面部３１ａに対し所定の角度を以って形成されている。
【００３０】
このように本実施形態も、釣針誘導線条７による餌放出孔３３への釣針４１の誘導時に、釣針誘導線条７−１の自由端側に設けたヘラ状部４３−１で餌放出孔３３上に盛り上がった練り餌３５を球状に削ぎ取り、この後、餌放出孔３３まで誘導されて釣針誘導線条７−１から外れようとする釣針４１に削ぎ取った練り餌３５を付着させるように構成したので、従来に比し練り餌３５が釣針４１に確実に取り付くと共に、取り付く練り餌３５の量が安定し、而も、釣針誘導線条７−１の自由端側にヘラ状部４３−１をノズル３１の上面部３１ａに対し所定の角度を以って形成したので、餌放出孔３３から押し出されて餌放出孔３３上に盛り上がった練り餌を確実に削ぎ取ることができるため、練り餌を釣針に確実に取り付けることが可能となる。
【００３１】
尚、既述した各実施形態は、餌放出孔３３上の練り餌３５をヘラ状部４３，４３−１で削ぎ取るに当たり、傾斜するノズル３１の上面部３１ａに沿ってヘラ状部４３，４３−１を上方から下方に移動させて餌放出孔３３の上を横切らせたが、図１で説明した釣針誘導線条７の撓み方向を反対、即ち、ツマミ２１方向に釣針誘導線条７の自由端側が撓むように構成して、図９の如くノズル３１の上面部３１ａに当接するヘラ状部４３を餌放出孔３３より下方に近接，配置してもよい。
【００３２】
そして、この実施形態では、釣針誘導線条７に引っ掛けた釣針４１をツマミ２１方向に釣糸３９で引っ張り乍らヘラ状部４３方向に移動させると、釣針誘導線条７の自由端側に負荷がかかって、に示すように釣針誘導線条７のヘラ状部４３側が上面部３１ａに沿ってツマミ２１方向に撓み、図１０の如くヘラ状部４３が餌放出孔３３の上を上面部３１ａの傾斜の下方から上方に移動して餌放出孔３３上の練り餌３５を削ぎ取るようになっている。
【００３３】
尚、本実施形態に於ても、ヘラ状部４３で良好に練り餌３５を削ぎ取ることができるように、ヘラ状部４３はノズル３１の上面部３１ａに対し所定の角度（図９中、角度β）を以って形成されている。
このように本実施形態に係る取付装置４５−２も、ノズル３１に設けた餌放出孔３３への釣針誘導線条７による釣針４１の誘導時に、釣針誘導線条７の自由端側に設けたヘラ状部４３で餌放出孔３３上に盛り上がった練り餌３５を球状に削ぎ取り、この後、餌放出孔３３に誘導されて釣針誘導線条７から外れようとする釣針４１に削ぎ取られた球状の練り餌３５が付着するように構成したので、既述した第一，第二実施形態と同様、練り餌３５が釣針４１に確実に取り付くと共に、取り付く練り餌３５の量が安定して所期の目的を達成することが可能である。
【００３４】
尚、釣針誘導線条の自由端側に設ける刃状部は既述したヘラ状部４３，４３−１の形状に限定されず、また、刃状部は省略してもよい。
更にケーシング１を省略して、釣針誘導線条７，７−１を容器本体１５に取り付けてもよい。
【００３５】
【発明の効果】
以上述べたように、請求項１に係る発明によれば、従来の取付装置に比し練り餌を釣針に確実に取り付けることができると共に、取り付く練り餌の量を安定させることができる利点を有する。
【００３６】
そして、請求項２に係る発明によれば、釣針誘導線条の自由端側に刃状部を設けたため、餌放出孔上に盛り上がった練り餌を確実に削ぎ取って釣針に付着させることができる利点を有する。
【図面の簡単な説明】
【図１】請求項１及び請求項２の第一実施形態に係る取付装置の全体斜視図である。
【図２】図１に示す取付装置の断面図である。
【図３】釣針誘導線条の動作を示す取付装置の平面図である。
【図４】釣針誘導線条の動作を示す取付装置の平面図である。
【図５】釣針誘導線条の動作を示す取付装置の要部拡大断面図である。
【図６】釣針誘導線条の動作を示す取付装置の要部拡大断面図である。
【図７】釣針誘導線条の動作を示す取付装置の要部拡大断面図である。
【図８】請求項１及び請求項２の第二実施形態に係る取付装置の釣針誘導線条の動作を示す平面図である。
【図９】請求項１及び請求項２の第三実施形態に係る取付装置の釣針誘導線条の動作を示す要部拡大断面図である。
【図１０】請求項１及び請求項２の第三実施形態に係る取付装置の釣針誘導線条の動作を示す要部拡大断面図である。
【符号の説明】
１  ケーシング
７，７−１  釣針誘導線条
１３  練り餌容器
１５  容器本体
１９  蓋体
２１  ツマミ
２３  ねじ杆
２７  ピストン
２９  餌押出孔
３１  ノズル
３３  餌放出孔
３５  練り餌
３７  マグネット
３９  釣糸
４１  釣針
４３，４３−１  ヘラ状部
４５，４５−１，４５−２  取付装置
【図１】
2004222666.tif 000003
【図２】
2004222666.tif 000004
【図３】
2004222666.tif 000005
【図４】
2004222666.tif 000006
【図５】
2004222666.tif 000007
【図６】
2004222666.tif 000008
【図７】
2004222666.tif 000009
【図８】
2004222666.tif 000010
【図９】
2004222666.tif 000011
【図１０】
2004222666.tif 000012